(57)【要約】【課題】用紙等の角隅部分を挟み、その綴じた用紙等をめくり返したときの用紙等が元に戻ったりばらばらに重なったりの、不安定な状態とならずにめくり返しが出来るクリップにする。【解決手段】弾性板を折り曲げて背部１と対向する二枚の挟持板２を形成し、背部１から挟持部３までの高さを同じにし、その挟持部３の一方に用紙等の角部を頂点とする三角形状の押し当て部５を設ける。また、従来のクリップのものには、その挟持部３より、用紙等の角部を頂点とする三角形とした押し当て部５を設けたクリップとして形成する。従来のクリップをそのまま使用する角隅用当て物を、用紙等の角部を頂点とする三角形の角隅押し当て部８と頂点と接する１辺より無段階的に折れ曲がる屈曲部９を設けたものとする。【選択図】　　　　　図１
2004098418.tif 000002
【特許請求の範囲】
【請求項１】
弾性板を折り曲げてその折り曲げた部分を背部（１）とし、その背部（１）の両側より対向する一対の挟持板（２）を形成し、両挟持板（２），（２）の接合する挟持部（３）から背部（１）にいたる挟持板（２）の左右の高さを同じにし、対向する挟持板（２）の一方には用紙等の角部を頂点とする三角形状の底辺を傾斜縁（４）とした押し当て部（５）を挟持部（３）より連設したことを特徴とするクリップ。
【請求項２】
対向する二枚の挟持板（２）を軸棒（６）とばね材（７）とによって形成しているクリップであって、その両挟持板（２）の自由端部が接合している挟持部（３）の一方の挟持部（３）から、用紙等の角部を頂点とする三角形状の押し当て部（５）を連設し、その三角形状の底辺を傾斜縁（４）としたことを特徴とするクリップ。
【請求項３】
クリップと切り離した状態のシ−トで用紙の角部を頂点とする三角形とした角隅押し当て部（８）と、その角隅押し当て部（８）の頂点に接する一辺より無段階的に折れ曲がる屈曲部（９）とを設けたことを特徴とする角隅用当て物。
【発明の詳細な説明】
【０００１】
【発明の属する技術分野】
この発明は、複数枚の用紙等の角隅部分を挟み止めて、その用紙等がその角隅部分を軸としてめくり返すクリップ及び角隅用当て物に関するものである。
【０００２】
【従来の技術】
従来、弾性板を折り曲げて背部および対向する一対の挟持板を形成してその両挟持板の自由端部を挟持部とするクリップにおいて、用紙の角隅部分を挟んでその角隅部分を軸にしてめくり返すものとしては特開平９−１７５０６８号があった。また、対向する二枚の三角形にした挟持板を、ばね材によって連結した特開平７−３２９４７０号もあった。
金属クリップの内側に介装させる当て物としては、四辺形を折り曲げた折曲紙片を使用する特開平８−２６７９７５号があった。
【０００３】
【特許文献１】
特開平９−１７５０６８号公報
【特許文献２】
特開平７−３２９４７０号公報
【特許文献３】
特開平８−２６７９７５号公報
【０００４】
【発明が解決しようとする課題】
従来の特開平９−１７５０６８号のクリップにおいては、背部から挟持部までの挟持板の左右の高さが同じ高さでないため、弾性板を単純に折り曲げると挟持部の全体を接合させることが出来ないものであり、対向して高さの低い側の挟持板の挟持部を接合させることが出来ずに隙間が出来るものである。
そこで、この隙間をなくして接合させるためには、対向して高さの低い側の挟持板の挟持部をより強い力で接合させることが必要となるものである。
すなわち、挟持部の位置によって挟持力が異なるものとなるので、製造が困難となり、製造したもので用紙を挟むときには強く接合した挟持部のところになると差し込みに強い力を必要として、差し込み難いクリップとない欠点があった。
【０００５】
また、特開平７−３２９４７０号のものでは、挟持部の接合を引き離すときの離れ具合が軸棒を使用しているクリップの様に幅広く離れない欠点があった。
特開平８−２６７９７５号のものでは、用紙等の角隅部分を挟み止めてその角隅部分を軸としてめくり返すときには、用紙等の角を頂点とした三角形の底辺となる傾斜縁がないので、めくり返した用紙等が一定の位置に重ならずばらばらに重なる不向きなものであった。
【０００６】
【課題を解決するための手段】
本発明は、弾性板を折り曲げてその折り曲げた部分を背部１とし、その背部１の両側より対向する一対の挟持板２を形成している。
そして、背部１から挟持部３にいたる挟持板２の高さを同じにして挟持部３の左右における挟み止める力を同じにし、対向する挟持板２の一方には用紙等の角部を頂点とする三角形状の底辺に相当する辺のところを傾斜縁４とした押し当て部５を挟持部３より連設したクリップとしている。
このように、挟持部３の左右における挟み止める力が同じであるから、従来の製造方法で作ることが出来るものとしている。
そして、用紙等の差し込みに際しても、困難となる所が無くなることで差し込みが容易となり、用紙等の角隅部分を挟み止めることで押し当て部５の傾斜縁４を軸にしてめくり返しができるものとしている。
【０００７】
また、対向する二枚の挟持板２を軸棒６とばね材７とによって挟持部３が接合しているクリップにおいては、その一方の挟持部３から挟持部３の一端を直角が含む直角三角形とした押し当て部５を連設し、その押し当て部５の直角を含まない辺を傾斜縁４としたクリップとしている。
このように、軸棒６によって対向する二枚の挟持板２を連結しているものであるから、挟持部３の接合を引き離すことが幅広く離せるものであることは当然であり、用紙等の角隅部分を挟み止めることで傾斜縁４を軸にしてめくり返しが出来るものとしている。
【０００８】
クリップの内側に介装させる当て物としては傾斜縁４を設ければよいことであって、直角三角形とした角隅押し当て部８とその角隅押し当て部８の直角に接する一辺より無段階的に折れ曲がる屈曲部９とを設けた一枚のシートによる角隅用当て物を形成し、その角隅用当て物を用紙の角隅部分に曲げて掛け、その上からクリップを挟むものとしている。
【０００９】
【発明の実施の形態】
本発明に係わるクリップの実施の形態の一つとしては、図１に示すように、一枚の弾性板を折り曲げて幅のある折り曲げ部分を背部１として形成し、その背部１の両端から対向する一対の挟持板２を設けている。
そして、この挟持板２の自由端部が接合していて、その自由端部が用紙等を挟み止める挟持部３を形成している。この挟持部３から背部１までの高さは、左右が同じ高さのものとしていて、この接合している一方の挟持部３からは、下に延長状態の三角形状とした押し当て部５を連設している。
このような背部１と対向する一対の挟持板２とから形成しているクリップであるレバーハンドルの付いたダブルクリップにも、三角形状の押し当て部５を設けることが考えられるものである。
【００１０】
また、図２に示すものは、挟持板２の横から背部１を設けずに延長部１０を設け、この延長部１０の横縁となる対向した側辺をお互いが逆になる傾斜辺１１として谷部１２を形成した特許第３１０６４１９号のクリップに三角形状の押し当て部５を設けたものを示しているものである。
この図２に示す傾斜辺１１の向かい合わせの傾きを逆にしたものは、図３に示すものとなることは当然であり、用紙等からクリップを取り外すときの指先が滑らず引き外し易くする指掛け孔１３を谷部１２とは反対側に設けたものとしている。この指掛け孔１３は、用紙の縁から外に突出した状態としても形成することが出来るもので、フック掛け用の孔としても使えるものである。
押し当て部５の形状としては、対象的な形状や様々に変形させることが出来るもので、三角形の他に傾斜縁４の中央部分を湾曲状に凹ませるなどして削除した変形の押し当て部５や孔のある押し当て部５とすること等が考えられる。
以上のように背部１の有るクリップで用紙等を挟み止めるときには、その用紙等の角隅部分に直接挟み付けたり、用紙等の側辺に挟み込んでから角隅部分に移動させたりして挟み止めることが出来るものである。
用紙等の角隅部分にクリップを挟み止めたものをめくり返すときには、押し当て部５の傾斜縁４を軸にして用紙等が裏返しとなるので、裏返しになった用紙の重なりが一定になって安定するものである。
【００１１】
背部１のあるクリップの他には、対向する二枚の挟持板２によるものがあって、軸棒６とばね材７とによって挟持部３を接合しているクリップがある。
この背部１の無いクリップにおける実施の形態としては、図４に示すように、目玉クリップの一方の挟持部３から、用紙等の角部を頂点とする三角形状の押し当て部５を、挟持部３の一端と頂点とが接する状態で連設しているものが考えられる。
このクリップで用紙等を挟み止めるときには、用紙等の角隅部分を直接挟み付けることが出来るもので、用紙等のめくり返しが押し当て部５の傾斜縁４を軸にして裏返しにされるので、裏返しにされた用紙等は安定した状態で重なるものであり、挟持部３が用紙等に傷を付けることがない。
この目玉クリップ以外にも、これに類似するクリップが数多くあるもので、これらにも三角形状の押し当て部５を挟持部３から設けることが出来ることは、当然考えられるものである。
【００１２】
その他の実施の形態としては、図５に示すように、クリップとは切り離した状態のシートで、用紙等の角部を頂点とする三角形とした角隅押し当て部８とその三角形の頂点を含む一辺から折り曲げ線１４を平行状態に複数設けた屈曲部９とを連設して、角隅用当て物を形成している。
この角隅用当て物は、用紙等の角隅部分に角隅押し当て部８を当て、屈曲部９を曲げて掛け、その上からクリップを挟み付けるものとしている。
したがって、この角隅用当て物を使用するときには、背部１の有るクリップや軸棒６とばね材７とによるクリップ等の従来のクリップによって、用紙の角隅部分を挟み止めることが出来るものである。
【００１３】
【発明の効果】
本発明に係わるクリップを使用するときには、弾性板を従来通りに製造することが出来、その挟持部３の左右に隙間が出来ずにその位置における挟む力が同じであることから、用紙等への差し込みが容易なものとなる。
下の挟持部３と上の押し当て部５が連設された挟持部３との大きさに差があることで、用紙等への差し込み操作をより良いものにしている。
そして、押し当て部５の傾斜した傾斜縁４を軸にして用紙等がめくり返されるので、めくり返した用紙等が一定したところの位置に重なって安定状態になるものである。
【図面の簡単な説明】
【図１】本発明の実施の形態の一つを示す斜視図である。
【図２】谷部のあるクリップに押し当て部を設けた状態を示す斜視図である。
【図３】谷部の傾斜辺を逆にした状態のクリップを示す斜視図である。
【図４】背部のないクリップにおける実施の形態を示す斜視図である。
【図５】角隅押し当て部を折り曲げて掛ける前の状態を示す平面図である。
【符号の説明】
１　背部
２　挟持板
３　挟持部
４　傾斜縁
５　押し当て部
６　軸棒
７　ばね材
８　角隅押し当て部
９　屈曲部
１０　延長部
１１　傾斜辺
１２　谷部
１３　指掛け孔
１４　折り曲げ線
【図１】
2004098418.tif 000003
【図２】
2004098418.tif 000004
【図３】
2004098418.tif 000005
【図４】
2004098418.tif 000006
【図５】
2004098418.tif 000007